(57)【特許請求の範囲】
【請求項１】
マグネットで磁着可能な磁性体材である磁着可能面に磁着して被回転体を回転可能とする回転軸部材を用いた回転玩具であって、
開口した窓を有する玩具本体を備え、
前記玩具本体における窓の窓枠の内面には、前記磁着可能面が互いに対向するように設けられ、
前記被回転体の両端には、前記回転軸部材がそれぞれ設けられていて、
前記回転軸部材は、前記被回転体の表面から突出した本体部及び該本体部に内包されて当該本体部を前記磁着可能面に磁着させるマグネットを有し、前記被回転体と共に前記玩具本体の窓枠に嵌め込まれることにより当該回転軸部材に繋がる被回転体を前記磁着可能面に磁着させることで、
前記磁着可能面に前記本体部が接触する磁着位置を任意の位置に定めることを可能とし、
当該接触位置の磁着可能面と直交する中心ラインを磁気軸芯として磁着力を引き出し、
前記被回転体が、前記玩具本体の窓枠に対して着脱可能な構成で回転可能とするものであって、
前記被回転体は、前記回転軸部材が前記磁着可能面上で滑ることにより、前記玩具本体の窓枠に対して当該磁着可能面に平行な方向に着脱可能に構成されており、
前記窓枠の互いに対向する内面には、マグネットを内包した円板部が固設され、
前記本体部は、略半球形状に形成され、前記円板部の表面からなる前記磁着可能面に点接触することを特徴とする回転玩具。
【請求項２】
マグネットで磁着可能な磁性体材である磁着可能面に磁着して被回転体を回転可能とする回転軸部材を用いた回転玩具であって、
開口した窓を有する玩具本体を備え、
前記玩具本体における窓の窓枠の内面には、前記磁着可能面が互いに対向するように設けられ、
前記被回転体の両端には、前記回転軸部材がそれぞれ設けられていて、
前記回転軸部材は、前記被回転体の表面から突出した本体部及び該本体部に内包されて当該本体部を前記磁着可能面に磁着させるマグネットを有し、前記被回転体と共に前記玩具本体の窓枠に嵌め込まれることにより当該回転軸部材に繋がる被回転体を該回転軸部材の前記本体部にて前記磁着可能面に磁着させることで、
前記磁着可能面に前記本体部が接触する磁着位置を任意の位置に定めることを可能とし、
当該接触位置の磁着可能面と直交する中心ラインを磁気軸芯として磁着力を引き出し、
前記被回転体が、前記玩具本体の窓枠に対して着脱可能な構成で回転可能とするものであって、
前記窓枠の互いに対向する内面には、マグネットを内包した円板部が固設され、
前記本体部は、略半球形状に形成され、前記円板部の表面からなる前記磁着可能面に点接触することを特徴とする回転玩具。
【発明の詳細な説明】
【技術分野】
【０００１】
本発明は、磁着可能面に磁着して使用し、軸棒及び軸孔を必要とせずに被回転体を回転可能とする回転軸部材である。
【背景技術】
【０００２】
従来、並列に配置された複数のパネルを夫々回転させて、当該パネルに表示された絵柄を合せるなどして遊ぶ絵合せ玩具や歯車玩具などの被回転体は、被回転体を貫通する軸孔と当該軸孔に軸通して回転体を軸支する軸棒によって回転可能に構築されている。このような絵合せ玩具や歯車玩具などの回転玩具としては、以下のようなものが提供されている。
【０００３】
例えば、回転玩具としては、上下に心棒を有するこまを設け、該心棒の上下端にそれぞれ心棒接触板を設けて、当該心棒接触板をこま支持体の適当な箇所に固定して設けたこまの回転装置が提供されている（特許文献１）。
【０００４】
また、絵合せ玩具としては、両側面部に軸棒が突設された多面体の各面に絵柄や文字が記載され、当該多面体を軸棒が平行になるように積層するとともに、当該軸棒を嵌合する溝を設けた一対の板状軸受体を、各多面体の両側面部の軸棒に当該溝に嵌合させながら回転可能に固定したことを特徴とし、該多面体を回転することで絵合せ操作が簡単に行える回転式多面体多重絵合せ玩具が提供されている（特許文献２）。
【０００５】
また、絵柄を描いた回転柱体の両側面部に支軸を設け、当該支軸を板状部材に開口した軸孔に軸通することで複数の回転柱体を軸支することにより、各回転柱体を回転させて絵柄合せのすることができる絵合わせ玩具が提供されている（特許文献３）。
【０００６】
また、歯車玩具としては、本出願人により、弾性力と摩擦抵抗が大きい円盤状の平面側垂直方向に軸棒を着脱自在に取付けた２以上の回転伝達部材と、多数の孔が設けられた基台とからなる玩具であって、ある回転伝達部材の軸棒を基台の多数の孔のいずれかに挿入して回転自在とするとともに、他の回転伝達部材の軸棒を前記回転伝達部材の縁端に押圧接触する関係になるように多数の孔のいずれかに挿入して回転自在とすることにより、これらの回転伝達部材のうち１つが回転することで、接触する他の回転伝達部材が順次回転する玩具が提供されている（特許文献４）。
【０００７】
また、縦方向及び横方向に夫々別の色で塗装したラインを７本ずつ配列して格子状に組立て、当該縦方向及び横方向のラインの交点に軸を植設した遊戯盤と、前記軸に嵌合する貫通軸及び２個以上の窓を備えた円柱状で略半分の周縁部に歯車を形成した歯車体からなり、隣接する歯車同士を歯車が噛み合わないように表裏を互い違いにして軸に嵌合させるときには、前記隣接する歯車体はそれぞれフリー回転可能をした歯車遊戯装置が提供されている（特許文献５）。
【０００８】
上記列挙した従来技術以外にも、軸孔及び軸棒を必要とする回転玩具や回転器具が市販されるなどして提供されている。例えば、市販されている所謂人生ゲームのようなボードゲーム用のルーレットなどである。
【先行技術文献】
【特許文献】
【０００９】
【特許文献１】特開２００８−０８６５５６号公報
【特許文献２】特開２００１−１０４６５９号公報
【特許文献３】特開２００６−２３０６４７号公報
【特許文献４】特開２００４−２３７００６号公報
【特許文献５】特開２００６−３０５２０９号公報
【発明の概要】
【発明が解決しようとする課題】
【００１０】
しかしながら、特許文献１乃至特許文献３に記載の絵合せ玩具では、当該玩具を解体してこまを変更したり、絵合せ順を変更したりするような際に、尖出した心棒や軸棒が露出してしまうため、身体の一部を軸棒に引っ掛けて転倒したり、軸棒で幼児の目などの身体の一部を突いてしまうなどの危険性が高いという問題があった。また、心棒や軸棒が軸受けに嵌まり込んで固定されるので、こまや多面体などの取り外しが困難であった。
【００１１】
また、特許文献３及び特許文献４に記載の歯車玩具では、上述ように、回転伝達部材の軸棒が基台から突出しているため、身体の一部を軸棒に引っ掛けて転倒したり、軸棒で幼児の目などの身体の一部を突いてしまうなどの危険性が高いという問題があり、また、遊戯するための専用の基台が必須であるとともに、当該基台に設けられた多数の孔のいずれかにしか回転伝達部材を取付けることができないため、孔という限定された位置でしか歯車玩具を回転させることができず、遊びの自由度が狭くなってしまうという問題があった。
【００１２】
そこで、本発明は、軸棒及び軸孔を必要とせず、磁着可能面であればどこでも自由且つ安全に被回転体を着脱容易で且つ回転可能にする回転軸部材及びそれを用いた玩具を提供することを課題とした。
【課題を解決するための手段】
【００１３】
上記課題を解決するために、本発明は次のように構成した。すなわち、本発明に係る請求項１に記載の回転玩具は、マグネットで磁着可能な磁性体材である磁着可能面に磁着して被回転体を回転可能とする回転軸部材を用いた回転玩具であって、開口した窓を有する玩具本体を備え、前記玩具本体における窓の窓枠の内面には、前記磁着可能面が互いに対向するように設けられ、前記被回転体の両端には、前記回転軸部材がそれぞれ設けられていて、前記回転軸部材は、前記被回転体の表面から突出した本体部及び該本体部に内包されて当該本体部を前記磁着可能面に磁着させるマグネットを有し、前記被回転体と共に前記玩具本体の窓枠に嵌め込まれることにより当該回転軸部材に繋がる被回転体を前記磁着可能面に磁着させることで、前記磁着可能面に前記本体部が接触する磁着位置を任意の位置に定めることを可能とし、当該接触位置の磁着可能面と直交する中心ラインを磁気軸芯として磁着力を引き出し、前記被回転体が、前記玩具本体の窓枠に対して着脱可能な構成で回転可能とするものであって、前記被回転体は、前記回転軸部材が前記磁着可能面上で滑ることにより、前記玩具本体の窓枠に対して当該磁着可能面に平行な方向に着脱可能に構成されており、前記窓枠の互いに対向する内面には、マグネットを内包した円板部が固設され、前記本体部は、略半球形状に形成され、前記円板部の表面からなる前記磁着可能面に点接触することを特徴とする。
【００１４】
また、本発明に係る請求項２に記載の回転玩具は、マグネットで磁着可能な磁性体材である磁着可能面に磁着して被回転体を回転可能とする回転軸部材を用いた回転玩具であって、開口した窓を有する玩具本体を備え、前記玩具本体における窓の窓枠の内面には、前記磁着可能面が互いに対向するように設けられ、前記被回転体の両端には、前記回転軸部材がそれぞれ設けられていて、前記回転軸部材は、前記被回転体の表面から突出した本体部及び該本体部に内包されて当該本体部を前記磁着可能面に磁着させるマグネットを有し、前記被回転体と共に前記玩具本体の窓枠に嵌め込まれることにより当該回転軸部材に繋がる被回転体を該回転軸部材の前記本体部にて前記磁着可能面に磁着させることで、前記磁着可能面に前記本体部が接触する磁着位置を任意の位置に定めることを可能とし、当該接触位置の磁着可能面と直交する中心ラインを磁気軸芯として磁着力を引き出し、前記被回転体が、前記玩具本体の窓枠に対して着脱可能な構成で回転可能とするものであって、前記窓枠の互いに対向する内面には、マグネットを内包した円板部が固設され、前記本体部は、略半球形状に形成され、前記円板部の表面からなる前記磁着可能面に点接触することを特徴とする。
【発明の効果】
【００１５】
本発明に係る請求項１に記載の回転玩具によれば、マグネットを内包した本体部を有する回転軸部材が被回転体の両端に設けられており、その被回転体が玩具本体の窓枠に嵌め込まれた状態で、当該窓枠の内面に設けられた磁着可能面に回転軸部材が接触して磁着し、当該接触位置の磁着可能面と直交する中心ラインを磁気軸芯として、被回転体が回転可能となり、玩具本体の窓枠に対して着脱可能となる。これにより、軸棒による危険性を排除することができるとともに、回転軸部材を設けている被回転体を容易な着脱操作にて交換可能にできるので、色々な被回転体の構成にて遊ぶ幅を広げることができる。特に、被回転体は、玩具本体への着脱が容易な上、回転する際も磁着状態を維持するので外れて脱落することもなく、パネルを取り替える際に、軸棒に引っかかる危険がないため、幼児であっても安全に遊戯や学習をすることができる。
【００１６】
さらに、回転軸部材が磁着可能面上で滑ることにより、被回転体が玩具本体の窓枠に対して磁着可能面に平行な方向に着脱可能となっているので、被回転体を玩具本体の窓枠に容易に着脱することができる。
【００１７】
特に、本体部が略半球形状に形成されて円板部の表面からなる磁着可能面に点接触するので、被回転体をより容易且つ安全に玩具本体に着脱することができる。
【００１８】
また、本発明に係る請求項２に記載の回転玩具によれば、マグネットを内包した本体部を有する回転軸部材が被回転体の両端に設けられており、その被回転体が玩具本体の窓枠に嵌め込まれた状態で、当該窓枠の内面に設けられた磁着可能面に回転軸部材が本体部にて接触して磁着し、当該接触位置の磁着可能面と直交する中心ラインを磁気軸芯として、被回転体が回転可能となり、玩具本体の窓枠に対して着脱可能となる。これにより、軸棒による危険性を排除することができるとともに、回転軸部材を設けている被回転体を容易な着脱操作にて交換可能にできるので、色々な被回転体の構成にて遊ぶ幅を広げることができる。特に、被回転体は、玩具本体への着脱が容易な上、回転する際も磁着状態を維持するので外れて脱落することもなく、パネルを取り替える際に、軸棒に引っかかる危険がないため、幼児であっても安全に遊戯や学習をすることができる。
【００１９】
特に、本体部が略半球形状に形成されて円板部の表面からなる磁着可能面に点接触するので、被回転体をより容易且つ安全に玩具本体に着脱することができる。
【図面の簡単な説明】
【００２０】
【図１】本発明に係る実施例の回転玩具を示す斜視図である。
【図２】当該回転玩具を示す断面図である。
【図３】回転軸部材を示す拡大斜視図である。
【図４】本発明に係る参考例１の回転玩具に係る歯車玩具を示す斜視図である。
【図５】当該歯車玩具を示す側面図である。
【図６】当該回転軸部材を歯車本体に設置する様子を示す斜視図である。
【図７】当該歯車玩具を回転玩具のパネルに磁着した状態を示す断面図である。
【図８】当該歯車玩具を組合せてパネルに磁着した参考例１の回転玩具を示す斜視図である。
【図９】当該歯車玩具の円板面中心の軸孔に棒体を挿入した状態を示す斜視図である。
【図１０】当該歯車玩具を組合せてホワイトボードに磁着した状態を示す図である。
【図１１】参考例２の回転玩具を示す斜視図である。
【図１２】回転軸部材を用いたルーレット玩具を示す斜視図である。
【図１３】当該ルーレット玩具を示す側面図である。
【発明を実施するための形態】
【００２１】
以下、本発明について、回転軸部材１を利用した被回転体の実施例、参考例２及び３を挙げながら具体的に説明する。
【００２２】
まず、実施例として、図１乃至図３を用いて、本発明に係る回転軸部材１を利用した回転玩具１１について説明する。
【００２３】
図１は、玩具本体１２及びパネル１３からなる実施例の回転玩具１１の構成を示す斜視図である。当該回転玩具１１は、板状の玩具本体１２の中央及びその左右の三箇所に開口した窓が設けられ、当該窓に嵌め込み可能なサイズのパネル１３が、回転軸部材１によって回転可能に軸支された玩具であって、当該パネル１３には、表裏それぞれに異なった絵や写真等が貼付又はプリントされており、各パネル１３を回転させた後、当該回転がストップした際に同じ種類の絵や写真を一致させる等して遊ぶ、絵合わせ玩具として利用するものである。玩具本体１２及びパネル１３は、ウレタン樹脂、ＡＢＳ樹脂、オレフィン系樹脂又はポリエステル樹脂などからなる合成樹脂発泡体、或いはこれらの複数種の混合であって、幼児が遊戯するのに適したクッション性のある安全な素材などを主とし、比較的硬質なプラスチック等の合成樹脂、非磁性金属、セラミック、木などを素材としてもよい。
【００２４】
なお、パネル１３の表裏両面に広告ポスターなどを貼付又はプリントし、表裏で異なる広告ポスターを広告の掲載状況に合せて回転して入れ替える等、玩具以外での用途においても実施可能である。また、玩具本体１２に開口する窓数及びパネル１３の個数は三箇所に限られるものではなくて複数個所であればよく、上記広告用ポスターの表示などとしての利用であれば一箇所であってもよい。
【００２５】
次に、図２及び図３を用いて、回転軸部材１を用いた当該パネル１３の玩具本体１２への軸支について説明する。なお、図２は、図１に示した回転玩具１１を示すＡ−Ａ断面図で、パネル１３の回転構造を示すものであり、図３（ａ）は、パネル１３の上面に設けた回転軸部材１を示す拡大斜視図であって、図３（ｂ）は、当該回転軸部材１の磁着対象となる玩具本体１２の窓枠表面に設けた円板部１４を示す拡大斜視図である。
【００２６】
図２及び図３（ａ）に示すように、回転軸部材１は、各パネル１３の上面及び下面から略半球形状に突出して形成された中空の本体部１ａと、当該略半球形状の本体部１ａの中空部分に内包されたマグネットαとから構成されている。当該本体部１ａは、磁着可能面に対して滑りのよい比較的硬質の合成樹脂製、木製或いは金属製で形成される。なお、マグネットα自体を略半球形状に形成して、本体部１ａを設けずに回転軸部材１としてもよい。一方、図２及び図３（ｂ）に示すように、玩具本体１２に形成された各窓枠の上面及び下面には、円板部１４がマグネットβを内包した状態で固設されている。当該円板部１４も、磁着対象である回転軸部材１に対して滑りのよい比較的硬質の合成樹脂製、木製或いは金属製で形成され、マグネットβ自体を円板状に形成して円板部１４としてもよい。なお、円板部１４は、金属製の板状で形成された磁性体であってもよく、マグネットβを玩具本体１２内に埋設し、玩具本体１２の表面を磁着可能面としてもよい。また、図示はしないが、マグネットα及びマグネットβの位置は、必ずしもパネル１３の中央軸に設ける必要性は無く、何れかの端を軸として移動させることにより、パネル１３の端を軸として扉のように回転させることも可能である。かつ、当該マグネットα及びマグネットβの位置は、パネル１３の左右側面の任意の位置に設けることも可能であり、この場合は縦方向に被回転体を回転させたり、上側または下側を開く扉のような構造にすることも可能となる。
【００２７】
このように構成した略半球形状の回転軸部材１及び円板部１４によって、パネル１３を玩具本体１２の各窓に嵌め込みながら、パネル１３の上下に設けた略半球形状の回転軸部材１を、その頂点で円板部１４と「点」接触して磁着させ、この上下の回転軸部材１の頂点を結ぶ中心ラインを磁気軸芯として軸支することにより、パネル１３は磁着を維持した状態で回転可能に構成される。そして、上下に固設された回転軸部材１によって玩具本体１２に磁着されたパネル１３は、玩具本体１２への着脱が容易な上、回転する際も磁着状態を維持するので各窓枠から脱落することもない。なお、パネル１３を縦方向に保持したが、回転軸部材１をパネル１３の左右側面に設け、また、玩具本体１２の窓枠の左右の内側面に円板部１４を設けて、左右の回転軸部材１と円板部１４を磁着することにより、パネル１３を横方向に保持してもよい。
【００２８】
上記では、回転玩具１１を絵合わせ玩具として説明したが、各パネル１３の表裏それぞれに一つの数字を表記し、パネル１３を回転させてストップした際に表示される各パネル１３の数字を計算することにより知育玩具としての利用も可能である。また、上記では回転玩具１１を三箇所の窓を有する玩具本体１２と三枚のパネル１３とで構成したが、パネル１３の枚数を窓と同数とする必要はなく、窓数以上のパネル１３を用意して、それらを入れ替えるようにして遊んでもよい。例えば、パネル１３の表裏それぞれに一つ平仮名を表記した複数枚のパネル１３を用意し、そのうちから三枚のパネル１３を選択して玩具本体１２の各窓に嵌め込み、当該パネル１３を回転させてストップした際に一定の単語を表示させる等の遊び方も可能である。また、パネル１３の表裏それぞれに数字の０〜９９の数字を表記した各パネル１３のうちから、窓数に応じたパネル１３を複数枚選択して玩具本体１２に軸支させ、回転後ストップした際にパネル１３に表示されている数字を計算するなどという遊び方も可能である。
【００２９】
次に、参考例１として、図４乃至図１０を用いて、本発明に係る回転軸部材１を利用した歯車玩具２２を磁着して遊戯することのできる回転玩具２１について説明する。図４は、回転軸部材１及び歯車本体２３からなる歯車玩具２２の構造を示す斜視図であり、また、図５は、その側面図である。
【００３０】
まずは、回転軸部材１を回転軸として利用した歯車玩具２２の構成について説明する。図４及び図５に示すように、歯車玩具２２は、歯車本体２３と、当該歯車本体２３の円板面の両面の中心に設置した略半球形状に突設された本体部１ａ及び当該本体部１ａに内包されたマグネットαからなる回転軸部材１とから構成される。歯車本体２３は、ウレタン樹脂、ＡＢＳ樹脂、オレフィン系樹脂又はポリエステル樹脂などからなる合成樹脂発泡体、或いはこれらの複数種の混合であって、幼児が遊戯するのに適したクッション性のある安全な素材などを用いて形成されるが、比較的硬質なプラスチック等の合成樹脂、非磁性金属、セラミック、木などを素材としてもよい。また、回転軸部材１の本体部１ａは、上記実施例と同様に、磁着可能面に対して滑りのよい比較的硬質の合成樹脂製、木製或いは金属製で形成される。なお、マグネットα自体を略半球形状に形成して円板面の表面から突出させ、回転軸部材１としてもよい。このように、回転軸部材１を平面な歯車本体２３の円板部に略半球形状に突出するように設置すればよいが、一般的な歯車体には通常軸孔２４（図６を参照。）が設けられているため、以下の図６で説明するような回転軸部材１を形成し、歯車本体２３に設置してもよい。
【００３１】
図６は、中心に軸孔２４を有する歯車本体２３に回転軸部材１を設置する様子を示す斜視図である。回転軸部材１は、磁着可能面上に対して滑りのよい比較的硬質の合成樹脂製の中空でキノコ型に形成された本体部１ａと、当該本体部１ａの中空部分に嵌め込むようにして収納されたマグネットαとから構成されている。なお、当該マグネットαは、本体部１ａ内に内包されていてもよい。このようにキノコ型に形成された本体部１ａは、当該キノコ型の円筒状部分を歯車本体２３の円板面の中心で開口する軸孔２４に嵌め込み、歯車本体２３の軸孔方向へと円板両面の双方から設置される。すなわち、キノコ型の本体部１ａの円筒状部分は、歯車本体２３の中心に形成された軸孔２４に対して隙間なく嵌合可能なサイズであって、例えば、歯車本体２３の合成樹脂発泡体の柔軟性により本体部１ａの円筒状部分が軸孔２４の内周面を押圧しながら沈み込んで嵌合し、軸孔２４の内周面の弾性力により本体部１ａの円筒状部分が加圧されるため、回転軸部材１を歯車本体２３に固定することができる。また、このように軸孔２４に嵌め込まれた回転軸部材１は、軸孔２４から容易に離脱させることができ、着脱可能の態様になっている。この時、円板面の両側から嵌合された回転軸部材１は、円筒状部分の先端が夫々引き合う磁極で対向することで、回転軸部材１の歯車本体２３への固定状態をより安定させることができる。
【００３２】
図７は、このように構成した歯車玩具２２を、参考例１に係る回転玩具２１のパネル１３に磁着させた状態を示す断面図である。当該回転玩具２１は、前記実施例の回転玩具１１の構成に加えて、前記パネル１３に板状の磁性体２５を付設又は埋設して構成されるとともに、当該磁性体２５は、パネル１３の上下面に設けたマグネットα及び円板部に設けたマグネットβと干渉しないように付設又は埋設される。当該板状の磁性体２５に対して、歯車玩具２２の円板面中心に設けられた回転軸部材１は、当該パネル１３の磁性体２５に磁着する際、略半球形状の頂点が磁性体２５の任意の位置の表面に「点」接触し、当該接触点がパネル１３と直交する中心ラインを磁気軸芯として磁着を維持したままの状態で回転が可能となる。これにより、当該回転軸部材１を軸として歯車玩具２２を磁着可能面である回転玩具２１面上或いは磁性体２５上で回転させることができる。
【００３３】
そして、図８に示すように、複数の歯車玩具２２を組み合せて前記パネル１３の磁性体２５に磁着することにより、このうちの１つの歯車玩具２２を回転させれば、他の歯車玩具２２も連動して回転するので、当該参考例１の回転玩具２１では、板状の磁性体２５を設けたことにより、歯車玩具２２を回転させてなる回転機構を遊びながら学習することができる。当該歯車玩具２２の組み合せについては、図８などに示すような平歯車同士に限られるものではなく、はすば歯車、かさ歯車、冠歯車、やまば歯車、ウォームギアなどの種々の歯車を夫々組合せて回転させることも可能である。なお、当該回転玩具２１に係る図７及び図８の玩具本体１２に磁性体２５を埋設或いは貼着し、当該玩具本体１２の表面を磁着可能面として歯車玩具２２を磁着して遊戯することも可能である。
【００３４】
また、図９は、歯車玩具２２の円板面に設けた孔２６に棒体２７を挿入した状態を示す斜視図である。歯車本体２３の円板面には、軸孔２４（図６を参照。）を中心として円を描くようにして複数個の孔２６が設けられている。当該孔２６のいずれか１つに棒体２７を挿入することにより、当該棒体２７を幼児などが手で掴んで歯車玩具２２を容易に回転させることができ、また、手の指などを挿入して歯車玩具２２を回転させることも可能である。さらに、複数の孔２６を設けたことにより、歯車玩具２２の軽量化を図ることができるとともに、歯車玩具２２を回転させた際、孔２６も軸孔２４を中心として回転するので歯車玩具２２の回転動作を把握しやすくなる。なお、棒体２７も、木製、金属製の芯材に合成樹脂発泡体を被覆して形成するなど、安全性に配慮したものを用いるのがよい。
【００３５】
なお、当該歯車玩具２２は、図７に示すパネル１３の磁性体２５の表面上に限らず、図１０に示すように、ホワイトボード２８や、黒板や冷蔵庫などの家電製品の側面など、磁着可能であればどのような板面でも同様に可能であって、上記回転玩具２１とは別に、歯車玩具２２単体で回転機構の学習や遊戯をすることもできる。
【００３６】
以上のように、回転軸部材１を利用した歯車玩具２２を、磁性体２５を付設又は埋設したパネル１３や玩具本体１２の磁着可能面に磁着することのできる前記回転玩具２２によれば、磁性体２５の表面上に複数の歯車玩具２２を組み合せて磁着することにより、歯車の回転機構を遊びながら学習することができる。また、当該歯車玩具２２は、パネル１３の磁性体２５表面上に磁着させて遊べるだけでなく、ホワイトボード２８や黒板などの板面、家電製品の側面など磁着可能な面であればどこにでも自由に磁着可能であり、幼児が安全に歯車の回転機構の学習及び遊戯をすることができる。また、従来の軸棒によって軸支された歯車体では、噛み合った歯車体の間に指を挟んで怪我をするなどの危険性があったが、上記歯車玩具２２によれば、パネル１３の磁性体２５等に磁着した回転軸部材１が、挟まれた指の押圧によって磁着可能な面上で外方向に滑るので、そのような怪我をすることはなく安全である。
【００３７】
上記参考例１では、マグネットαを収納した回転軸部材１の本体部１ａをキノコ型に形成し、当該本体部１ａの円筒状部分を歯車本体２３の軸孔２４（図６を参照。）に嵌合して固定した場合を説明したが、上述の通り、略半球形状に形成された回転軸部材１を例えば接着剤や合成樹脂テープなどを用いて歯車本体２３の円板面の中心に平面状部分を貼着し、歯車本体２３の円板面から略半球形状に突出するように形成してもよい。また、本参考例１において、キノコ型の本体部１ａであっても、当該本体部１ａは、磁着可能面に対して滑りのよい比較的硬質の合成樹脂製で形成され、また、木製或いは金属製で形成する。また、略半球形状に形成したマグネットα自体を回転軸部材１としてそのまま円板面上に貼着してもよく、キノコ型のマグネットα自体を軸孔２４に嵌合して回転軸部材１としてもよい。
【００３８】
なお、上記歯車玩具２２の参考例１の応用例として、歯車玩具２２のどちらか一方の円板面の周縁部分に０〜９までの数字を軸孔２４を中心とする円形状に配列し、当該歯車玩具２２を回転してルーレットとして利用したり、当該数字を付した歯車玩具２２を複数噛合せ、ルーレットのように回転させて停止した後、各歯車玩具２２の噛み合わされた位置にある２つの数字を瞬時に計算することにより、遊びながら計算能力の向上を図るという遊び方も可能である。また、歯車本体２３から回転軸部材１を取り外し、二つの歯車玩具２２の各軸孔２４にシャフトとしての棒状体を挿通することにより連結し、車オモチャのタイヤとして歯車玩具２２を利用したり、軸孔２４又はその周辺の孔２６のいずれかに回転軸部材１を嵌合固定し、回転軸部材１が固定されていない軸孔２４又はその周辺の孔２６に棒体２７を挿入した後、ある一定の枠内で回転させることにより、スピログラフ（登録商標）としての遊び方も可能である。
【００３９】
次に、参考例２として、図１１を用いて、ルーレットとして遊戯することのできる回転玩具３１を説明する。
【００４０】
図１１は、ルーレットとして遊戯することのできる回転玩具３１を示す斜視図である。当該回転玩具３１は、前記実施例で説明した回転玩具１１の玩具本体１２の下端に基台３２が設けられ、また、回転軸部材１によって回転するパネル３３が、矢印柱状に形成されている。基台３２には、回転するパネル３３の矢印が指す位置に対応して、円状に数字が羅列されている。そして、矢印柱状に形成されたパネル３３を回転させ、回転が停止した後にパネル３３の矢印が羅列された数字のいずれかを指すことによってルーレットとして遊戯することができる。なお、羅列表記する任意の文字には、数字だけでなく、アルファベット文字、片仮名、平仮名又は記号・絵文字など含み、遊び方に応じて、数字以外の文字を羅列表記してもよい。
【００４１】
このように参考例２に係る回転玩具３１は、上記実施例のように、パネル３３に絵を表記すれば絵合わせをして遊ぶことができるだけでなく、ルーレットとして遊ぶことも可能であり、バリエーションに富んだ遊び方が可能となる。また、上記の歯車玩具２２をパネル３３に磁着できるように板状の磁性体２５を付設又は埋設すれば、上記参考例１で示した遊戯も含めてさらにバリエーションに富んだ遊び方が可能となる。また、当該パネル３３は、上記実施例のパネル１３と同様に、玩具本体１２から着脱容易なので、幼児であっても、矢印柱状のパネル３３と絵が表記されたパネル１３とを容易に交換したりすることができる。
【００４２】
上記参考例２以外にも、玩具本体１２を用いずに、以下に説明するような単体のルーレット玩具３４として遊戯することも可能である。図１２は、当該玩具ルーレット玩具３４を示す斜視図であり、円盤３５と、当該円盤３５の円心で略半球形状に形成された本体部１ａ及び当該本体部１ａに内包されたマグネットαからなる回転軸部材１によって回転可能に軸支された矢印形状の針３６とから構成されている。当該ルーレット玩具３４は、円盤３５の円板表面の周端部に数字が円形状に並んで表記されており、矢印形状の針３６を回転させてストップさせた後、針３６の矢印が指し示す方向にある数字によって何らかの行動をする盤状ゲームで一般的に使用されるものである。なお、円盤３５及び針３６は、ウレタン樹脂、ＡＢＳ樹脂、オレフィン系樹脂又はポリエステル樹脂などからなる合成樹脂発泡体、或いはこれらの複数種の混合であって、幼児が遊戯するのに適したクッション性のある安全な素材などを用いて形成されるが、比較的硬質なプラスチック等の合成樹脂、非磁性金属、セラミック、木などを素材としてもよい。また、回転軸部材１の本体部１ａは、上記実施例と同様、磁着可能面に対して滑りのよい比較的硬質の合成樹脂製、木製或いは金属製で形成される。なお、略半球形状に形成したマグネットα自体を回転軸部材１としてもよい。
【００４３】
また、図１３は、当該ルーレット玩具３４を示す側面図である。矢印形状の針３６は、その表裏両面の長手方向中央近傍に、略半球形状の本体部１ａにマグネットαを内包した回転軸部材１が突出して形成される。また、円盤３５の中心には、マグネットβを内包した円板部３７が設けられる。当該円板部３７も、磁着対象である回転軸部材１に対して滑りのよい比較的硬質の合成樹脂製、木製或いは金属製で形成され、また、マグネットβ自体を円板状に形成して円板部３７としてもよい。そして、当該回転軸部材１の頂点が、円盤３５の円心に設けられた円板部３７と「点」接触し、円盤３５の円板面と直交する中心ラインを磁気軸芯として回転可能に磁着されている。なお、回転軸部材１を、針３６の表裏両面に設けることにより、どちらの面であっても円板部３７との磁着が可能となる。なお、円板部１４は、金属製の板状で形成された磁性体であってもよい。
【００４４】
このように上記ルーレット玩具３４は、本発明に係る回転軸部材１を針３６に形成したことにより、ルーレットに必要な針３６の回転を軸孔及び軸芯を用いることなく安全に遊ぶことができる。なお、上記ルーレット玩具３４では円盤３５を構成要素としたが、針３６に本発明に係る回転軸部材１を構成したことにより、円盤３５を要することなく、例えば、ホワイトボード２８などの磁着可能面に任意数字を円形状に並べて表記し、その円形状の中心に回転軸部材１を磁着させ針３６を磁着可能面に備え付ければ、磁着可能面であればどこでも自由に遊ぶことが可能となる。
【００４５】
以上、回転軸部材１を用いた各実施例、参考例１及び２の回転玩具１１、２１、３１によれば、軸孔及び突出して危険な軸棒を必要とせずとも被回転体の回転が可能となり、幼児が怪我等することなく安全に遊ぶことが可能となる。また、上記参考例１及び参考例２で説明したように、ホワイトボード２８、冷蔵庫などの家電製品の側面や事務デスクの天板上面などの磁着可能面であれば、略半球形状の回転軸部材１に内包したマグネットαによって回転軸部材１の頂点が当該磁着可能面に「点」接触し、当該接触「点」が磁着可能面と直交する中心ラインを磁気軸芯として、歯車本体２３及び針３６という被回転体が、軸棒及び軸孔を必要とせずに回転可能となる。これにより、歯車玩具２２及びルーレット玩具３４は、軸棒による危険性を排除することができるとともに、軸孔を有する軸受体も必要としないので、磁着可能面であれば自由に任意の場所を選んで被回転体を設置することができるので、軸棒を必要とするものに比べて自由に被回転体を回転させて遊ぶことができる。
【００４６】
上記実施例及び参考例２では、略半球形状の回転軸部材１にマグネットαを内包し、円板部１４及び３７にはマグネットβを内包することによって、両者を磁着させたが、どちらか一方を金属製の磁性体としてもよい。例えば、金属製で略半球形状の回転軸部材１にマグネットβを内包した円板面１４及び３７を磁着させてもよく、マグネットαを内包した回転軸部材１に金属製で板状の円板部を磁着させてもよい。また、円板部１４及び３７も、回転軸部材１と同様に略半球形状に形成し、頂点同士が向かい合うように磁着させてもよい。
【００４７】
上記参考例１では、キノコ型に形成した本体部１ａ及びマグネットαからなる回転軸部材１を歯車本体２３の軸孔２４に嵌合する構成を説明したが、実施例及び参考例２においても同様に、パネル１３の上下面或いは針３６の表裏両面にキノコ型の円筒状部分が嵌め込み可能な凹部を開口させておくことにより、キノコ型に形成した回転軸部材１とすることもできる。
【００４８】
また、上記各実施例、参考例１及び２では、回転軸部材１を略半球形状で形成したが、当該回転軸部材と磁着可能面との接触位置において、磁着可能面と直交する中心ラインを磁気軸芯として磁着力を得ることができればよく、その形状は、略半球形状に限られるものではない。
【産業上の利用可能性】
【００４９】
上記実施例、参考例１及び２では、主に玩具を例に挙げて本発明に係る回転軸部材１を説明したが、実施例で述べたパネル１３の広告表示のように玩具以外の用途で利用することも可能であり、回転を要する被回転体で、且つ磁着可能面を設ければどのようなものであっても、本願発明の回転軸部材１を利用することができる。
【００５０】
また、上記実施例、参考例１及び２以外にも、歯車玩具２２などを事務用品のマグネットホルダーとして利用することもでき、さらに、回転軸部材１を取り外し、当該回転軸部材１単体で略半球形状又はキノコ型のマグネットホルダーとしての利用が可能である。
【符号の説明】
【００５１】
１                回転軸部材
１ａ              本体部
１１、２１、３１  回転玩具
１２              玩具本体
１３、３３        パネル
１４、３７        円板部
２２              歯車玩具
２３              歯車本体
２４              軸孔
２５              磁性体
２６              孔
２７              棒体
２８              ホワイトボード
３２              基台
３４              ルーレット玩具
３５              円盤
３６              針
α、β            マグネット
【図１】
0005843088.tif 000002
【図２】
0005843088.tif 000003
【図３】
0005843088.tif 000004
【図４】
0005843088.tif 000005
【図５】
0005843088.tif 000006
【図６】
0005843088.tif 000007
【図７】
0005843088.tif 000008
【図８】
0005843088.tif 000009
【図９】
0005843088.tif 000010
【図１０】
0005843088.tif 000011
【図１１】
0005843088.tif 000012
【図１２】
0005843088.tif 000013
【図１３】
0005843088.tif 000014